(57)【要約】【課題】変形を抑制する照明器具及び照明装置を提供する。【解決手段】照明器具は、一方向に延びる延在部と延在部の先端に設けられた先端部とを有する支持部材が複数組み合わされたシステム天井に設けられ、長尺の光源ユニットが取り付けられる照明器具であって、光源ユニットが収容される収容凹部が形成され、光源ユニットの長手方向に延びる器具本体と、器具本体の幅方向の側端部に配置され、光源ユニットの長手方向に延びる側板部と、器具本体の長手方向の端部と側板部の長手方向の端部とを連結する端板部と、を備え、側板部は、長手方向に延びる側板本体と、側板本体の幅方向の側縁部から、延在部に沿って延びる側板側部と、を有し、側板側部の長手方向の端部には切欠きが形成されており、切り欠かれた切欠き辺に先端部が当たる。【選択図】図８
2018195399.tif 000002
【特許請求の範囲】
【請求項１】
一方向に延びる延在部と前記延在部の先端に設けられた先端部とを有する支持部材が複数組み合わされたシステム天井に設けられ、長尺の光源ユニットが取り付けられる照明器具であって、
前記光源ユニットが収容される収容凹部が形成され、前記光源ユニットの長手方向に延びる器具本体と、
前記器具本体の幅方向の側端部に配置され、前記光源ユニットの長手方向に延びる側板部と、
前記器具本体の長手方向の端部と前記側板部の長手方向の端部とを連結する端板部と、を備え、
前記側板部は、
長手方向に延びる側板本体と、
前記側板本体の幅方向の側縁部から、前記延在部に沿って延びる側板側部と、を有し、
前記側板側部の長手方向の端部には切欠きが形成されており、切り欠かれた切欠き辺に前記先端部が当たる
照明器具。
【請求項２】
前記側板側部は、
前記側板本体の幅方向の側縁部から、曲げられて形成されている
請求項１記載の照明器具。
【請求項３】
前記側板側部は、
前記切欠きの外側に設けられ、前記切欠き辺から前記延在部に沿って突出する突出部を更に有する
請求項１又は２に記載の照明器具。
【請求項４】
前記端板部は、
前記器具本体側に配置される内側端板部と、
前記内側端板部より外側に配置され、前記内側端板部に取り付けられる外側端板部と、を有し、
前記切欠きは、
前記内側端板部と前記外側端板部との間に位置している
請求項１〜３のいずれか１項に記載の照明器具。
【請求項５】
前記器具本体の長手方向の端部に設けられ、前記先端部に係合する爪部を更に備える
請求項１〜４のいずれか１項に記載の照明器具。
【請求項６】
前記爪部は、
前記端板部に取り付けられ、前記先端部に係合し、弾性を有する外爪部と、
前記端板部に取り付けられ、前記外爪部を押下して弾性変形させて前記外爪部と前記先端部との係合を解除する爪操作部と、を有する
請求項５記載の照明器具。
【請求項７】
弾性体を有する請求項１〜６のいずれか１項に記載の照明器具と、
前記弾性体によって前記収容凹部に収容されて固定される前記光源ユニットと、
を備える照明装置。
【発明の詳細な説明】
【技術分野】
【０００１】
本発明は、システム天井に取り付けられる照明器具及び照明装置に関する。
【背景技術】
【０００２】
従来、いわゆるＴバーが格子状に複数組み合わされて形成されたシステム天井に設けられた照明器具が知られている。Ｔバーとは、一方向に延びる延在部と、延在部の先端に設けられた先端部とを有する支持部材である。特許文献１には、長方形状の空間が形成されるようにＴバーが格子状に組まれたシステム天井に取り付けられた照明器具が開示されている。特許文献１の照明器具は、長尺形状をなしており、長方形状の空間の短辺方向で隣接した２つのＴバーに固定されている。特許文献１は、幅方向の両側端部に設けられたフランジがＴバー上に載置され、背面側に設けられたスライド部材がＴバーに係合することによって、照明器具がＴバーに固定されている。
【先行技術文献】
【特許文献】
【０００３】
【特許文献１】特開２０１６−２０１２０８号公報
【発明の概要】
【発明が解決しようとする課題】
【０００４】
ここで、システム天井には、照明器具のほかに、天井パネルが設置される場合がある。天井パネルは、Ｔバーと照明器具との間に配置され、Ｔバー上及び照明器具のフランジ上に載置される。特許文献１のような照明器具において、天井パネルが設置される場合、フランジに天井パネル分の負荷が加わるため、照明器具が変形するおそれがある。
【０００５】
本発明は、上記のような課題を解決するためになされたもので、変形を抑制する照明器具及び照明装置を提供するものである。
【課題を解決するための手段】
【０００６】
本発明に係る照明器具は、一方向に延びる延在部と延在部の先端に設けられた先端部とを有する支持部材が複数組み合わされたシステム天井に設けられ、長尺の光源ユニットが取り付けられる照明器具であって、光源ユニットが収容される収容凹部が形成され、光源ユニットの長手方向に延びる器具本体と、器具本体の幅方向の側端部に配置され、光源ユニットの長手方向に延びる側板部と、器具本体の長手方向の端部と側板部の長手方向の端部とを連結する端板部と、を備え、側板部は、長手方向に延びる側板本体と、側板本体の幅方向の側縁部から、延在部に沿って延びる側板側部と、を有し、側板側部の長手方向の端部には切欠きが形成されており、切り欠かれた切欠き辺に先端部が当たる。
【発明の効果】
【０００７】
本発明によれば、側板部は、側板本体と、側板本体の側縁部から延在部に沿って延びる側板側部とを有している。そして、支持部材の先端部が、側板側部に形成された切欠きの切欠き辺に当たる。このように、側板本体から延びる側板側部が、支持部材の先端部に当たっているため、側板側部の上方から荷重が加わって、先端部から側板側部に対し反力が生じても、その反力が、側板側部全体に分散する。このため、照明器具が変形することを抑制することができる。
【図面の簡単な説明】
【０００８】
【図１】本発明の実施の形態１に係る照明装置６０を示す斜視図である。
【図２】本発明の実施の形態１に係る照明装置６０を示す斜視図である。
【図３】本発明の実施の形態１に係る照明装置６０を示す上面図である。
【図４】本発明の実施の形態１に係る照明装置６０を示す断面図である。
【図５】本発明の実施の形態１に係る照明器具１を示す側面図である。
【図６】本発明の実施の形態１に係る照明装置６０を示す分解斜視図である。
【図７】本発明の実施の形態１に係る照明器具１を示す側面図である。
【図８】本発明の実施の形態１における側板部３を示す斜視拡大図である。
【図９】本発明の実施の形態１に係る照明器具１を示す斜視図である。
【図１０】本発明の実施の形態１に係る照明器具１を示す斜視拡大図である。
【図１１】本発明の実施の形態１における端板部４、爪部５及び弾性体６を示す斜視図である。
【図１２】本発明の実施の形態１における端板部４及び爪部５を示す斜視図である。
【図１３】本発明の実施の形態１における側板部３が支持部材１０に取り付けられる状態を示す斜視図である。
【図１４】本発明の実施の形態１における側板部３が支持部材１０に取り付けられる状態を示す側面図である。
【図１５】本発明の実施の形態１における爪部５の動作を示す斜視図である。
【図１６】本発明の実施の形態１における爪部５の動作を示す斜視図である。
【図１７】本発明の実施の形態１における爪部５の動作を示す斜視図である。
【図１８】本発明の実施の形態１における爪部５の動作を示す斜視図である。
【図１９】本発明の実施の形態１における爪部５の動作を示す斜視図である。
【図２０】本発明の実施の形態１における爪部５の動作を示す斜視図である。
【図２１】本発明の実施の形態１における側板部３を示す斜視図である。
【図２２】本発明の実施の形態１における側板部３を示す断面図である。
【図２３】比較例における照明器具１００の側板部１０３を示す斜視図である。
【図２４】比較例における照明器具１００の側板部１０３を示す断面図である。
【発明を実施するための形態】
【０００９】
実施の形態１．
以下、本発明に係る照明器具及び照明装置の実施の形態について、図面を参照しながら説明する。図１及び図２は、本発明の実施の形態１に係る照明装置６０を示す斜視図であり、図３は、本発明の実施の形態１に係る照明装置６０を示す上面図である。図１、図２及び図３に基づいて、照明装置６０について説明する。なお、図２は、図１を上面側からみたときの斜視図である。図１、図２及び図３に示すように、照明装置６０は、照明器具１と光源ユニット８とを備えており、システム天井に固定されている。
【００１０】
システム天井は、いわゆるＴバーが格子状に複数組み合わされて形成された天井である。Ｔバーとは、一方向に延びる延在部１１（図１３図示）と、延在部１１の先端に設けられた先端部１２（図１３図示）とを有する支持部材１０である。また、システム天井には、天井パネル１３が設置される。天井パネル１３は、支持部材１０と照明装置６０との間に配置されている。光源ユニット８は、照射対象に光を照射するユニットであり、長尺である。
【００１１】
図４は、本発明の実施の形態１に係る照明装置６０を示す断面図であり、図３のＡ−Ａ断面図である。図４に示すように、照明器具１は、器具本体２と側板部３と端板部４とを有している。器具本体２と側板部３との間には、空調リターン孔１４が形成されている。空調リターン孔１４は、天井からの空気を照明器具１に取り込む孔であり、この空気によって、光源ユニット８が冷却されている。
【００１２】
図５は、本発明の実施の形態１に係る照明器具１を示す側面図であり、端板部４が外された状態を示す図である。図５に示すように、器具本体２は、収容凹部２１ａが形成された本体部２１と、本体部２１から幅方向に延びる化粧部２２とを有している。本体部２１の収容凹部２１ａは、光源ユニット８の一部が収容される凹部である。化粧部２２は、空調リターン孔１４の直下に位置しており、これにより、照射対象側から空調リターン孔１４側を向いても、化粧部２２によって空調リターン孔１４が見えずに済む。
【００１３】
図６は、本発明の実施の形態１に係る照明装置６０を示す分解斜視図である。図６に示すように、器具本体２は、光源ユニット８の長手方向に延びる部材である。器具本体２の収容凹部２１ａには、弾性体６と、端子台７とが設けられている。弾性体６は、例えば円弧状をなすバネであり、弾性体６が弾性変形することによって光源ユニット８が収容凹部２１ａに収容される。本実施の形態１では、弾性体６が２つ設けられている。端子台７は、複数の配線が接続される部材である。なお、器具本体２には、電源ケーブルが通される電源孔９が形成されている。
【００１４】
図７は、本発明の実施の形態１に係る照明器具１を示す側面図である。図７に示すように、側板部３は、器具本体２の幅方向の側端部に配置され、光源ユニット８の長手方向に延びる部材である。側板部３は、側板本体３１と、側板側部３２と、フランジ３３とを有している。側板本体３１は、長手方向に延びる部材であり、器具本体２の本体部２１と平行の部材である。側板側部３２は、側板本体３１の幅方向の側縁部から、支持部材１０の延在部１１に沿って延びる部材である。例えば、側板側部３２は、側板本体３１の幅方向の側縁部から、曲げられて形成されている。
【００１５】
また、本実施の形態１では、側板側部３２は、２つ設けられており、側板本体３１側の第１の側板側部３２ａは、側板本体３１の長手方向の全体から延在部１１に沿って延びている。第１の側板側部３２ａよりも内側の第２の側板側部３２ｂは、側板本体３１の長手方向の端部から延在部１１に沿って延びる部材である。なお、第１の側板側部３２ａの長さは、第２の側板側部３２ｂの長さよりも長い。フランジ３３は、第１の側板側部３２ａの側板本体３１側ではない側の端部から、幅方向に延びる部材である。なお、図４に示すように、フランジ３３には、天井パネル１３が載置されている。
【００１６】
図８は、本発明の実施の形態１における側板部３を示す斜視拡大図である。次に、側板部３の第１の側板側部３２ａについて詳細に説明する。図８に示すように、第１の側板側部３２ａの長手方向の端部には、フランジ３３側から延びる切欠き３７が形成されている。即ち、第１の側板側部３２ａは、中央部に位置する第１の側部３４と、第１の側部３４における側板本体３１側から長手方向に延びる第２の側部３５とを有している。第２の側部３５のフランジ３３側の辺は、切欠き辺３７ａとなっている。また、第１の側板側部３２ａは、突出部３６を有する。突出部３６は、切欠き３７の外側に設けられ、第２の側部３５の切欠き辺３７ａから延在部１１に沿って突出する部材である。
【００１７】
図９は、本発明の実施の形態１に係る照明器具１を示す斜視図である。図９に示すように、端板部４は、器具本体２の長手方向の端部と、側板部３の長手方向の端部とを連結する部材である。端板部４は、例えば２つ設けられており、器具本体２の長手方向の両端部と、側板部３の長手方向の両端部とをそれぞれ連結している。
【００１８】
図１０は、本発明の実施の形態１に係る照明器具１を示す斜視拡大図であり、図９の破線部内を拡大した拡大図である。図１０に示すように、照明器具１は、爪部５を有しており、爪部５は、器具本体２の収容凹部２１ａ内に設けられている。なお、端板部４は、内側端板部４１を有し、内側端板部４１は、第１の内側面４２と、第２の内側面４３と、第３の内側面４４と、端板フランジ４５とを有している。
【００１９】
図１１は、本発明の実施の形態１における端板部４、爪部５及び弾性体６を示す斜視図である。図１１に示すように、端板部４は、内側端板部４１と外側端板部４６とを有している。内側端板部４１は、前述の如く、第１の内側面４２と、第２の内側面４３と、第３の内側面４４と、端板フランジ４５とを有している。第１の内側面４２は、器具本体２に対向する面であり、第２の内側面４３は、第１の内側面４２から器具本体２に向けて突出する面である。第３の内側面４４は、第２の内側面４３から第１の内側面４２に平行に延びる面であり、先端に螺子孔４４ａが形成されている。端板フランジ４５は、第１の内側面４２から外側に延びる面である。
【００２０】
外側端板部４６は、第１の外側面４７と、第２の外側面４８と、第３の外側面４９とを有している。第１の外側面４７は、最外側に設けられた面であり、中央部に爪部５が挿入される爪用開口４７ａが形成されている。第２の外側面４８は、第１の外側面４７から器具本体２に向けて突出する面である。第２の外側面４８には、螺子孔４８ａが形成されている。第３の外側面４９は、第２の外側面４８から第１の外側面４７に平行に延びる面である。第３の外側面４９には、爪部５が挿入される爪用スリット４９ａが形成されている。ここで、第１の内側面４２と第１の外側面４７とが対向して配置される。また、第３の内側面４４と第３の外側面４９とが重なって配置される。これにより、内側端板部４１と外側端板部４６との間には空間が形成される。なお、第１の側板側部３２ａに形成された切欠き３７は、内側端板部４１と外側端板部４６との間に位置している。
【００２１】
爪部５は、外爪部５１と爪操作部５２とを有している。外爪部５１は、端板部４の爪用開口４７ａに挿入される弾性体６を有する部材である。外爪部５１には、螺子孔５１ａが形成されている。外爪部５１は、外側に弾性変形する部材であり、外側に弾性変形したとき、爪用開口４７ａを通って外側端板部４６の外側に露出する。爪操作部５２は、端板部４の爪用スリット４９ａに挿入され、外爪部５１を押下して弾性変形させる部材である。爪操作部５２には、長手方向に延びるスライド孔５２ａが形成されている。爪操作部５２は、器具本体２の長手方向に摺動可能であり、爪操作部５２が長手方向の外側に摺動したとき、爪操作部５２の先端が外爪部５１を押下して、外爪部５１が弾性変形する。ここで、爪操作部５２は、内側端板部４１と外側端板部４６との間に形成される空間の奥行の分だけ、摺動可能である。
【００２２】
図１２は、本発明の実施の形態１における端板部４及び爪部５を示す斜視図である。図１２に示すように、内側端板部４１は、螺子孔４４ａを用いて器具本体２の本体部２１に螺子止めによって固定されている。外側端板部４６は、螺子孔４８ａを用いて側板部３の側板本体３１に螺子止めによって固定されている。外爪部５１は、螺子孔４８ａを用いて外側端板部４６に螺子止めによって固定されている。爪操作部５２は、スライド孔５２ａを用いて器具本体２の本体部２１に螺子止めによって摺動可能に取り付けられている。
【００２３】
図１３は、本発明の実施の形態１における側板部３が支持部材１０に取り付けられる状態を示す斜視図である。次に、照明器具１が支持部材１０に取り付けられる状態について説明する。図１３に示すように、器具本体２の側板部３が支持部材１０の先端部１２に嵌め込まれることによって、照明器具１が支持部材１０に取り付けられる。その際、側板部３の第１の側板側部３２ａの切欠き辺３７ａが支持部材１０の先端部１２に対向するように配置される。
【００２４】
図１４は、本発明の実施の形態１における側板部３が支持部材１０に取り付けられる状態を示す側面図である。側板部３の第１の側板側部３２ａの切欠き辺３７ａが支持部材１０の先端部１２に近づけられると、図１４に示すように、切欠き辺３７ａに先端部１２が当たる。そして、先端部１２は、第１の側部３４と第２の側部３５と突出部３６とによって挟まれて固定される。このとき、外爪部５１が、支持部材１０における先端部１２に係合する。
【００２５】
図１５、図１６、図１７、図１８、図１９及び図２０は、本発明の実施の形態１における爪部５の動作を示す斜視図である。図１５及び図１９に示すように、爪操作部５２が器具本体２側に引かれているとき、外爪部５１は爪操作部５２に押下されないため、弾性変形せず、外側端板部４６の爪用開口４７ａを塞ぎつつ支持部材１０の先端部１２に係合している。このため、照明器具１が支持部材１０から外れることが抑制される。また、図１６、図１７、図１８及び図２０に示すように、爪操作部５２が長手方向の外側に摺動したとき、爪操作部５２の先端が外爪部５１を押下して、外爪部５１が弾性変形する。これにより、外爪部５１と支持部材１０の先端部１２との係合が解除される。従って、作業者等は、照明器具１を支持部材１０から取り外すことができる。
【００２６】
図２１は、本発明の実施の形態１における側板部３を示す斜視図である。また、図２２は、本発明の実施の形態１における側板部３を示す断面図である。本実施の形態１によれば、側板部３は、側板本体３１と、側板本体３１の側縁部から延在部１１に沿って延びる側板側部３２とを有している。そして、支持部材１０の先端部１２が、側板側部３２に形成された切欠き３７の切欠き辺３７ａに当たる。例えば、フランジ３３に載置された天井パネル１３によって、側板側部３２の上方から荷重が加わると、先端部１２から側板側部３２に対し反力が生じる。本実施の形態１では、図２１及び図２２に示すように、側板本体３１から延びる側板側部３２が、支持部材１０の先端部１２に当たっているため、先端部１２からの反力を、側板部３の断面で受ける。このため、先端部１２から受ける反力を、側板側部３２全体に分散することができる。従って、照明器具１が変形することを抑制することができる。また、本実施の形態１は、照明器具１に設けられる取付金具等が外れることを抑制し、また変形することを抑制することができるという効果を奏する。
【００２７】
図２３は、比較例における照明器具１００の側板部１０３を示す斜視図である。また、図２４は、比較例における照明器具１００の側板部１０３を示す断面図である。図２３及び図２４に示すように、従来、側板部１０３が階段状に曲げられた照明器具１００が知られている。比較例における照明器具１００は、先端部１２からの反力を、側板部１０３の一面で受ける。このため、側板部１０３が支持部材１０側に歪むおそれがある。これに対し、本実施の形態１は、図２１及び図２２に示すように、側板本体３１から延びる側板側部３２が、支持部材１０の先端部１２に当たっているため、先端部１２からの反力を、側板部３の断面で受ける。このため、先端部１２から受ける反力を、側板側部３２全体に分散することができる。従って、照明器具１が変形することを抑制することができる。
【００２８】
また、側板側部３２は、側板本体３１の幅方向の側縁部から、曲げられて形成されている。このように、本実施の形態１では、側板本体３１と側板側部３２とが一体的に形成されている場合について例示したが、側板本体３１と側板側部３２とが別の部材として形成されていてもよい。
【００２９】
更に、側板側部３２は、切欠き３７の外側に設けられ、切欠き辺３７ａから延在部１１に沿って突出する突出部３６を更に有する。これにより、支持部材１０の先端部１２が切欠き辺３７ａに当たった後に、水平方向に移動しようとしても突出部３６に当たるため、先端部１２が外れることを抑制することができる。
【００３０】
また、端板部４は、器具本体２側に配置される内側端板部４１と、内側端板部４１より外側に配置され、内側端板部４１に取り付けられる外側端板部４６と、を有し、切欠き３７は、内側端板部４１と外側端板部４６との間に位置している。このため、側板部３の切欠き３７付近が、内側端板部４１と外側端板部４６とによって補強される。従って、側板部３の長手方向の端部の変形が抑制される。
【００３１】
更に、器具本体２の長手方向の端部に設けられ、先端部１２に係合する爪部５を更に備え、爪部５は、端板部４に取り付けられ、先端部１２に係合し、弾性を有する外爪部５１と、端板部４に取り付けられ、外爪部５１を押下して弾性変形させて外爪部５１と先端部１２との係合を解除する爪操作部５２と、を有する。これにより、照明器具１が支持部材１０から外れることが抑制されると共に、作業者等が照明器具１を支持部材１０から取り外すことができる。
【符号の説明】
【００３２】
１  照明器具、２  器具本体、３  側板部、４  端板部、５  爪部、６  弾性体、７  端子台、８  光源ユニット、９  電源孔、１０  支持部材、１１  延在部、１２  先端部、１３  天井パネル、１４  空調リターン孔、２１  本体部、２１ａ  収容凹部、２２  化粧部、３１  側板本体、３２  側板側部、３２ａ  第１の側板側部、３２ｂ  第２の側板側部、３３  フランジ、３４  第１の側部、３５  第２の側部、３６  突出部、３７  切欠き、３７ａ  切欠き辺、４１  内側端板部、４２  第１の内側面、４３  第２の内側面、４４  第３の内側面、４４ａ  螺子孔、４５  端板フランジ、４６  外側端板部、４７  第１の外側面、４７ａ  爪用開口、４８  第２の外側面、４８ａ  螺子孔、４９  第３の外側面、４９ａ  爪用スリット、５１  外爪部、５１ａ  螺子孔、５２  爪操作部、５２ａ  スライド孔、６０  照明装置、１００  照明器具、１０３  側板部。
【図１】
2018195399.tif 000003
【図２】
2018195399.tif 000004
【図３】
2018195399.tif 000005
【図４】
2018195399.tif 000006
【図５】
2018195399.tif 000007
【図６】
2018195399.tif 000008
【図７】
2018195399.tif 000009
【図８】
2018195399.tif 000010
【図９】
2018195399.tif 000011
【図１０】
2018195399.tif 000012
【図１１】
2018195399.tif 000013
【図１２】
2018195399.tif 000014
【図１３】
2018195399.tif 000015
【図１４】
2018195399.tif 000016
【図１５】
2018195399.tif 000017
【図１６】
2018195399.tif 000018
【図１７】
2018195399.tif 000019
【図１８】
2018195399.tif 000020
【図１９】
2018195399.tif 000021
【図２０】
2018195399.tif 000022
【図２１】
2018195399.tif 000023
【図２２】
2018195399.tif 000024
【図２３】
2018195399.tif 000025
【図２４】
2018195399.tif 000026